(57)【要約】【課題】ＧＰＳの測位情報を用いることなく、携帯電話機により現在位置を正確に把握する。【解決手段】電柱などに路上掲示物を取り付け、その掲示物にはその地点の位置情報と地図情報サーバ４のアドレスとをコード化したＱＲコードを掲載しておく。携帯電話機１の情報コード読取装置によって路上掲示物のＱＲコードを読み取り、そして読み取ったアドレスにより携帯電話機１を地図情報サーバ４に接続して位置情報を送信する。地図情報サーバ４は位置情報に基づいて地図情報記憶装置２８から位置情報により示された地点周辺の地図情報を取得し、携帯電話機１に送信する。【選択図】  図１
2004213191.tif 000002
【特許請求の範囲】
【請求項１】
その地点の位置を示す位置情報を光学的情報コードにより表示した位置表示手段と、
光学的情報コードを読み取る情報コード読取手段、通信ネットワークに接続可能な通信手段、表示手段を有する携帯端末と、
地図情報を記憶した地図情報記憶手段を有し、前記通信ネットワークに接続された地図情報提供手段とを備え、
前記携帯端末は、前記位置表示手段の光学的情報コードを前記情報コード読取手段により読み取り、その読み取った情報を前記通信手段により前記通信ネットワークを介して前記地図情報提供手段に送信し、
前記地図情報提供手段は、受信した位置情報に基づいて前記地図情報記憶手段から該当する地図情報を取得して前記通信ネットワークを介して前記携帯端末に送信し、
前記携帯端末は、受信した地図情報を前記表示手段に表示する
ことを特徴とした地図情報提供システム。
【請求項２】
前記地図情報提供手段が前記携帯端末に送信する地図情報は、前記携帯端末から送信された位置情報が示す地点を中心とした地図情報であることを特徴とする請求項１記載の地図情報提供システム。
【請求項３】
前記携帯端末は、前記地図情報提供手段から送信された地図情報を前記表示手段に部分的に表示し、スイッチ操作によって前記表示手段に表示する地図情報をスクロールできるように構成されていることを特徴とする請求項１または２記載の地図情報提供システム。
【請求項４】
前記位置表示手段の光学的情報コードには、前記位置情報の他、前記地図情報提供手段のアドレス情報が含まれていることを特徴とする請求項１ないし３のいずれかに記載の地図情報提供システム。
【請求項５】
前記位置表示手段の光学的情報コードの位置情報は、マップコードで表されていることを特徴とする請求項１ないし５のいずれかに記載の地図情報提供システム。
【請求項６】
前記地図情報提供手段は、携帯端末への送信情報を記憶するログ記憶手段を備え、位置情報を送信した携帯端末とは異なる他の携帯端末から、前記位置情報を送信した携帯端末の位置を問い合わせる情報を受信したとき、前記ログ記憶手段から当該携帯端末への送信情報を読み出して前記他の携帯端末へ送信することを特徴とする請求項１ないし５のいずれかに記載の地図情報提供システム。
【請求項７】
その地点の位置を示す位置情報を表示した光学的情報コードを読み取る情報コード読取手段と、
この情報コード読取手段により読み取った位置情報を地図情報提供手段に送信すると共に地図情報提供手段から送信されてくる地図情報を受信する通信手段と、
この通信手段により受信された前記地図情報を表示する表示手段と
を備えた地図情報提供システム用携帯端末。
【発明の詳細な説明】
【０００１】
【発明の属する技術分野】
本発明は、携帯端末により現在位置周辺の地図情報を取得できるようにした地図情報提供システムおよびそのシステム用の携帯端末に関する。
【０００２】
【従来の技術】
携帯電話機には、ＧＰＳ信号受信機を搭載したものがある。このものでは、ＧＰＳ信号受信機によりＧＰＳ電波信号を受信して測位データを取得し、これを情報サービスセンタへ送信する。すると、情報サービスセンタでは、測位データに基づいて位置を割り出し、その位置の周辺の地図情報を携帯電話機に送信する。
【０００３】
しかしながら、ＧＰＳ信号受信機を搭載した携帯電話機は高価である。
この問題を解消するものとして、携帯電話の基地局から、そのサービスエリア全体の地図情報を送信するようにし、携帯電話機により基地局を中心とした地図情報を受信することができるようにしたものがある（例えば、特許文献１。）。
【０００４】
【特許文献１】
特開２０００−１７５２５１号公報（第１頁）
【０００５】
【発明が解決しようとする課題】
しかしながら、基地局から送信されてくる地図情報を携帯電話機で受信するシステムでは、自分の居る場所が表示器に表示された地図（基地局のサービスエリア）内であることは分かるが、そのうちのどの位置かは容易には分からない。
【０００６】
本発明は上記事情に鑑みてなされたものであり、その目的は、ＧＰＳの測位情報を用いることなく現在位置を正確に把握することができる地図情報提供システムおよびその携帯端末を提供することにある。
【０００７】
【課題を解決するための手段】
請求項１の発明では、例えば電柱などに設けられた位置表示手段の光学的情報コードを携帯端末により読み取ってその地点の位置情報を取得し、通信ネットワークを介して地図情報提供手段に送信する。すると、地図情報提供手段は、位置情報に基づいて該当する地図情報を検索し、携帯端末に送信する。携帯端末は、その受信した地図情報を表示手段に表示する。このようなシステムであれば、携帯端末により得られる地図情報により現在位置を容易に把握することができる。
【０００８】
請求項２の発明では、携帯端末の表示手段に表示される地図情報は、現在位置を中心としたものとなるから、現在位置を一層容易に且つより正確に把握することができる。
請求項３の発明では、携帯端末の表示手段に表示された地図情報はスクロール操作によって上下左右（東西南北）に移動させることができるので、携帯端末の表示手段の画面が小さくても、送信されてきた地図情報の全部を見ることができる。
【０００９】
請求項４の発明では、位置表示手段の光学的情報コードが表示する情報には、その地点の位置情報の他、地図情報提供手段のアドレス情報が含まれているので、携帯端末から通信ネットワークを介する地図情報提供手段への接続を容易に行うことができる。
請求項５の発明では、位置表示手段の光学的情報コードの位置情報がマップコードで表されているので、地図情報提供手段において該当する地図情報を検索し易くなる。
請求項６の発明では、所望の携帯端末（を携帯している人）の位置を、他の携帯端末で知ることができる。
【００１０】
また、請求項７の発明では、例えば電柱に設けられた光学的情報コードを読み取って地図情報提供手段に送信することにより、現在位置周辺の地図情報を取得する機能を持った携帯端末を提供することができる。
【００１１】
【発明の実施の形態】
以下、本発明の一実施例を図面に基づいて説明する。
図１は地図情報提供システムの全体構成を示すブロック図であり、同図に示すように、本システムは、携帯端末としての携帯電話機１から位置情報を通信ネットワーク、この実施例では携帯電話網の基地局２およびインターネット３を通じて地図情報提供手段としての地図情報サーバ４に送信すると、地図情報サーバ４が位置情報により示された位置の周辺の地図情報を携帯電話機1に返信するというシステムである。
【００１２】
位置情報は、道路に沿って立てられた電柱や建物などに取り付けられた路上掲示物５（図５参照）から取得するようになっている。図５には、路上掲示物５を電柱６に取り付けた例を示している。この路上掲示物５には、図６（a）に示すように、電柱６が立っている場所（路上掲示物５の設置位置）を表示する文字と、光学的情報コード、例えば二次元コードの一種であるＱＲコード７とが掲載されている。
【００１３】
路上掲示物５に記載されたＱＲコード７には、図６（ｂ）に示すように、路上掲示物５の位置情報が都道府県名から番地までで表す通常の住所表示にてコード化して表示されていると共に、地図情報サーバ４のインターネット３上のアドレス情報（ＵＲＬ）がコード化されて表示されている。そして、ＱＲコード７には、位置情報表示部分とアドレス情報表示部分との間が区画手段、例えば「＊（アスタリスク）」を表すコードで区切られている。
【００１４】
図３には、二つ折りタイプの携帯電話機１が開いた状態で示されている。この携帯電話機１は、主部８と、この主部８に開閉可能に連結されたフリッパ部９とからなり、主部８の表側には、多数のキー１０を配列してなるキーパッド１１および送話音を入力するマイクロフォン１２などが配設されている。また、フリッパ部６の表側には、表示手段としてのメインディスプレイ１３および受話音声を出力するスピーカ１４などが配設されている。なお、フリッパ部９の裏側には、アンテナ１５およびサブディスプレイ１６（図２参照）などが配設されている。
【００１５】
主部８の内部には、情報コード読取手段としての情報コード読取装置１７の撮像手段としてＣＣＤカメラ１８が設けられている。このＣＣＤカメラ１８は、ＣＣＤセンサを縦横に配列してなるエリアセンサ１９と、読取対象であるＱＲコードからの反射光をエリアセンサ１９上に結像する集光レンズ２０とを備えて構成されている。
【００１６】
図２には携帯電話機１の電気的構成が示されている。同図において、制御手段としての制御部２１は、マイクロコンピュータから構成され、ＣＰＵ２２、ＲＯＭ２３、ＲＡＭ２４などを備えている。ＲＯＭ２３には、本来の移動通信のためのプログラムの他、ＱＲコードの解読用プログラム、その解読したコード情報を送信するためのプログラムなどが記憶されている。従って、制御部２１は情報コード読取装置１７の解読手段としても機能する。
【００１７】
この制御部２１には、前述のマイクロフォン１２、メインディスプレイ１３、スピーカ１４、サブディスプレイ１６、ＣＣＤカメラ１８、キー１０群によって操作されるキースイッチ２５群の他、アンテナ１５を介して基地局２と通信を行う通信手段としての通信部２６が接続されている。なお、主部５内には、電源用電池２７が収納されている。
【００１８】
上記キースイッチ２５群のうち、図３に１０ａで示すキーにより操作されるキースイッチ２５ａは、情報コード読取装置１７を動作させるためのトリガースイッチとしても機能し、また、図３に１０ｂで示すキーによって操作されるキースイッチ２５ｂは、解読した位置情報を地図情報サーバ４に送信するためのトリガースイッチとしても機能し、１０ｃで示すキーによって操作されるキースイッチ２５ｃ〜２５ｆ（図２では１個で示す）は、地図情報サーバ４から送信されてくる地図情報をスクロールするためのスクロールスイッチとしても機能する。
【００１９】
一方、前記地図情報サーバ４は地図情報を記憶した地図情報記憶装置２８、通信内容を記憶するログ記憶手段としてのログ記憶装置２９などを備えている。この地図情報サーバ４は、位置情報を受信すると、その位置情報に基づいて当該位置情報により示された位置の周辺地図を検索し、この検索した地図情報を位置情報の発信元へ送信するようになっている。また、地図情報サーバ４は、携帯電話機１に送信した位置情報を、他の携帯電話機１´からの要求に応じて当該携帯電話機１´に送信するようにもなっている。
【００２０】
次に上述のシステムを使用して現在位置周辺の地図情報を取得する場合の作用を図８および図９のフローチャートをも参照しながら説明する。
例えば、町を歩いていて、今、どこにいるかを知りたい場合、最寄の路上掲示物５を探す。そして、探し出した路上掲示物５に掲載されているＱＲコード７に携帯電話機１の集光レンズ２０を向け、キースイッチ１０ａを操作する。すると、キースイッチ２５群のうちの情報コード読取用トリガースイッチ２５ａが動作し、ＱＲコード７の画像が携帯電話機１に取り込まれる（撮像）。このＱＲコード画像の取り込みは、路上掲示物５のＱＲコード７からの反射光が集光レンズ２０により集光されてエリアセンサ１９上に結像されることによって行われる。
【００２１】
次に、携帯電話機１の制御部２１は、エリアセンサ１９が取り込んだ画像によりＱＲコード７を解読する。そして、解読した情報を、「＊（アスタリスク）」で前後に二分し、前情報である位置情報と後情報であるアドレス情報とを判別する（判別手段）。
【００２２】
次に、キー１０ｂを操作すると、キースイッチ２５群のうちの位置情報送信用トリガー用キースイッチ２５ｂが動作し、アドレス情報に示されたアドレスに従って携帯電話機１をインターネット３を介して地図情報サーバ４に接続する。携帯電話機１が地図情報サーバ４に接続されると、次に制御部２１は、位置情報に示された住所と、当該携帯電話機１の識別情報、この実施例では携帯電話機１のメールアドレスとを地図情報サーバ４に送信する。
【００２３】
地図情報サーバ４は、位置情報およびメールアドレスを受信すると（図８のステップＡ１で「ＹＥＳ」）、先ず、地図情報記憶装置２８にアクセスして位置情報により示された地点の周辺地図、例えば当該地点を中心とした４Ｋｍ四方の地図情報を取得する（同図ステップＡ２）。そして、取得した地図情報に、位置情報により示された位置（現在位置）に黒点を付した上で当該地図情報をインターネット３を通じて携帯電話機１に送信する（同図ステップＡ３）と共に、送信した地図情報を送信先のメールアドレスと共にログ記憶装置２９に記憶する（同図ステップＡ４）。
【００２４】
地図情報サーバ４から送信された地図情報を携帯電話機１が受信すると、その制御部２１は、受信した地図情報を表示手段としてのメインディスプレイ１３に表示する。この場合、図７に示すように携帯電話機１のメインディスプレイ１３の画面は比較的小さいので、送信されて来た地図情報Ｍの全体を表示すると、地図が見難くなるので、制御部２１は、先ず、現在位置（黒点）を中心とした小さな範囲（例えば、図７に破線で囲んだ範囲）ｍを表示する。
【００２５】
この地図情報の当初表示の範囲は、スクロールすることができる。このスクロールは、キー１０群のうち、スクロールキー１０ｃを操作することによって行うことができ、スクロールキー１０ｃの上部、下部、左部、右部を押圧操作すると、キースイッチ２５群のうち上、下、左、右の各スクロールスイッチ２５ｃ〜２５ｆが動作し、これにより制御部２１はメインディスプレイ１３に表示する地図の範囲を上下左右（東西南北）にスクロールさせる。
【００２６】
このように携帯電話機１を地図情報サーバ４に接続して位置情報と識別情報（メールアドレス）とを送信することにより、現在位置の周辺地図を携帯電話機１のメインディスプレイ１３に表示することができるので、携帯電話機１にＧＰＳ受信機を装備しなくとも済む。
しかも、位置情報は、路上掲示物５に掲載されたＱＲコード７を携帯電話機１に読み込むことによって自動的に取得するので、現在位置の住所を知らなくとも、また、知っていてもそれを手動で入力する必要がなく、利便性が向上する。
【００２７】
ところで、前述したように地図情報サーバ４から携帯電話機１に送信した地図情報については、他の携帯電話機１´からも取得することができる。そのためには、他の携帯電話機１´を地図情報サーバ４に接続し、携帯電話機の所在問い合わせサービスを受ける旨の送信をし、次に相手側の携帯電話機１のメールアドレス、自身の携帯電話機１´のメールアドレスを送信する。
【００２８】
地図情報サーバ４は、携帯電話機の所在問い合わせの情報を受信すると（ステップＢ１）、ログ記憶装置２９にアクセスして、問い合わせ対象の携帯電話機１のメールアドレスに基づいて記憶情報を検索し、当該携帯電話機１に送信した地図情報を取得する（ステップＢ２）。そして、地図情報サーバ４は、携帯電話機１へ送信した地図情報を他の携帯電話機１´に送信する（ステップＢ３）。
【００２９】
このように或る携帯電話機１に送信した地図情報を他の携帯電話機１´により取得することができる。このため、或る人の居場所を確認したり、複数人がそのうちの一人の人の居る場所で落ち合うというような場合などに至極便利である。
【００３０】
なお、本発明は上記し且つ図面に示す実施例に限定されるものではなく、以下のような拡張或は変更が可能である。
位置情報、アドレス情報を表示する光学的情報コードは、ＱＲコードに限られず、他の二次元コードでも良い。また、バーコードなどの一次元コードであっても良い。
地図情報サーバ４のアドレスが分かっていて手動で入力する場合には、路上掲示物５のＱＲコード７にアドレス情報を表示する必要はない。
携帯端末は、携帯電話機に限られず、ＰＤＡ（ｐｅｒｓｏｎａｌ  ｄｉｇｉｔａｌ  ａｓｓｉｓｔａｎｔｓ）など携帯可能な機器であれば良い。
携帯電話機１から地図情報サーバ４に送信する識別情報は、その携帯電話機１の電話番号であっても良い。
光学的情報コードにより表示される位置情報は、マップコードであっても良い。マップコードとは、地図を細分化し、区分された各領域を符号化したもので、その符号によって所望の地域の地図を検索するものである。従って、路上掲示物を、その区分された各地域のほぼ中心に設置しておけば、マップコードを携帯電話機１から地図情報サーバ４に送信することによって、地図情報サーバ４からは現在位置を中心とした地図情報を取得することができる。
【図面の簡単な説明】
【図１】本発明の一実施例を示すもので、地図情報提供システムのブロック図
【図２】携帯電話機の電気的構成を示すブロック図
【図３】同正面図
【図４】同側面図
【図５】路上掲示物の取り付け例を示す斜視図
【図６】路上掲示物を示すもので、（ａ）は正面図、（ｂ）はＱＲコードにコード化された情報の内容を示す図、（ｃ）は位置情報とアドレス情報との判別方法を示す図
【図７】携帯電話機に送信された地図情報例と携帯電話機への表示範囲を示す図
【図８】地図情報サーバの地図記憶装置からの地図情報検索の動作を示すフローチャート
【図９】地図情報サーバの他のログ記憶装置からの地図情報検索の動作を示すフローチャート
【符号の説明】
図中、１は携帯電話機（携帯機器）、３はインターネット（通信ネットワーク）、４は地図情報サーバ（地図情報提供手段）、５は路上掲示物（位置表示手段）、７はＱＲコード（光学的情報コード）、１３はメインディスプレイ（表示手段）、１７は情報コード読取装置（情報コード読取手段）、１８はエリアセンサ、１９は集光レンズ、２０は制御部、２６は通信部（通信手段）、２７は地図情報記憶装置（地図情報記憶手段）、２８はログ記憶装置（ログ情報記憶手段）である。
【図１】
2004213191.tif 000003
【図２】
2004213191.tif 000004
【図３】
2004213191.tif 000005
【図４】
2004213191.tif 000006
【図５】
2004213191.tif 000007
【図６】
2004213191.tif 000008
【図７】
2004213191.tif 000009
【図８】
2004213191.tif 000010
【図９】
2004213191.tif 000011